(57)【要約】      （修正有）【課題】口紅が口紅カップから外れるのを防止する射出成形口紅カップを提供する。【解決手段】軟質口紅配合物に適した口紅円筒体または塊を固定するための口紅カップ１０であって、基部、および、側壁１２を有し、側壁１２から半径方向内向きに延伸する、基部付近で側壁１２の内周まわりに実質的に均等に分布した、軸方向に配置されているリブ２０を有する円筒状本体２と、側壁１２の周まわりに実質的に均等に分布し、隣接するリブ２０の対の間に周方向に配置されており、下面を提供するために側壁１２の内面から基部に向かって内側に傾斜する複数の浅いアンダーカット構造体３０とを有する。複数のリブ２０は、口紅組成物の材料の一部分を、円周方向において浅いアンダーカット構造体３０の下面および基部に向かって、およびそれらの間に変位させ、圧縮して、製品がカップから外れるのを防止する。【選択図】図１
0003219640.tif 000002
【実用新案登録請求の範囲】
【請求項１】
口紅ケースに用いられる口紅の円筒体のための射出成形口紅カップであって、
ｉ）基部および前記口紅の基礎部を受け入れるように適合される内部開口を画定する内面を有する側壁を含む円筒状本体、
ｉｉ）前記側壁の周まわりに実質的に均等に分布し、前記基部に近接し、前記側壁の前記内面から半径方向内向きに延伸する、軸方向に配置される複数のリブ、及び
ｉｉｉ）前記側壁の周まわりに実質的に均等に分布し、隣接するリブ間に周方向に配置される複数の浅いアンダーカット構造体であって、半径方向内向きに面し、前記側壁の前記内面から外方に前記基部に向かって、下側延長棚部へ傾斜する面、および、前記基部に面する、下側延長棚部から前記側壁の前記内面へ半径方向外向きに延伸する下面を含む、複数の浅いアンダーカット構造体、
を有する、射出成形口紅カップ。
【請求項２】
前記湾曲した下側延長棚部が、前記側壁の内側内面の湾曲と実質的に同じ横方向の湾曲を有する請求項１に記載の射出成形口紅カップ。
【請求項３】
前記複数のリブは、前記口紅の前記基礎部の材料の一部を、円周方向において前記浅いアンダーカット構造体の前記下面および前記基部に向かって、およびそれらの間に変位させ、圧縮して、前記口紅が前記カップから外れるのを防止する請求項１または２に記載の口紅カップ。
【請求項４】
前記アンダーカット構造体の内向面は凹面である請求項１〜３のいずれか一項に記載の口紅カップ。
【請求項５】
前記アンダーカット構造体の前記内向面は、前記側壁の前記内側面の湾曲に従う横方向の湾曲を有し、一方の側から横方向に反対側まで実質的に同じ厚さを有する請求項１〜４のいずれか一項に記載の口紅カップ。
【請求項６】
前記アンダーカット構造体は、上端部から下側延長棚部に向かって、増加する厚さを有する請求項１〜５のいずれか一項に記載の口紅カップ。
【請求項７】
前記アンダーカット構造体の前記内向面は、前記側壁の前記内面から、約２０度以下、および約１５度以下を含む約３０度以下である請求項１〜６のいずれか一項に記載の口紅カップ。
【請求項８】
前記ホルダは、射出成形プロセスおよび射出成形機器によって製造される請求項１〜７のいずれかに記載の口紅カップ。
【請求項９】
前記カップは、射出成形プロセスを使用して熱可塑性材料から形成することができる請求項１〜８のいずれか一項に記載の口紅カップ。
【請求項１０】
前記浅いアンダーカット構造体がほぼピラミッド形状を有する請求項１〜９のいずれか一項に記載の口紅カップ。
【請求項１１】
前記浅いアンダーカット構造体が錐台状である請求項１〜９のいずれか一項に記載の口紅カップ。
【請求項１２】
前記浅いアンダーカット構造体が上側湾曲形状を有する請求項１〜９のいずれか一項に記載の口紅カップ。
【請求項１３】
口紅円筒体のための口紅ディスペンサであって、
該口紅ディスペンサは、ハウジング、および前記口紅円筒体を受けるための請求項１〜１２のいずれか一項に記載の口紅カップを有し、
前記ハウジング内の前記口紅円筒体は、格納位置とユーザ位置との間で移動可能である、上記口紅ディスペンサ。
【考案の詳細な説明】
【技術分野】
【０００１】
本考案は、口紅製品のためのディスペンサに関する。
【背景技術】
【０００２】
施与するためのスティック状形態を有する製品は一般に、口紅、アイシャドー、アイライナー、マスカラなどを含む既知の化粧品のような、半固体または高粘性材料の性質を有する。スティック状形態で施与可能な他の製品は、例えば消臭剤、リップバーム、日焼け止め、防虫剤などの、パーソナルケアおよび衛生製品として知られている。一般に、スティック状形態で施与することができる家庭用製品などの他の製品、例えば、接着剤、研磨剤などが知られている。それゆえ、様々な用途で施与可能なスティック状形態の多数の製品が知られている。
【０００３】
化粧品用の既知のディスペンサの１つの形態は、口紅ケースとして参照される。口紅ケースは一般に、スティック状形態の収容された口紅が後退位置にあるときに、取り外し可能なキャップによって覆われるハウジングを含む。キャップを取り外すと、口紅は、塗布するのに該口紅を露出させるために、機構によってハウジングを通って前進させられる。口紅は一般的に、ホルダまたはカップに装着され、機構によって、口紅が、ハウジング内で、後退格納位置と延伸ユーザまたは塗布位置との間で動かされることを可能にするように係合される。ディスペンサが適切に機能するためには、口紅は、通常の取り扱いおよび使用の間にホルダまたはカップ内に保持されることが必要である。
【０００４】
この目的のために、口紅をそのホルダまたはカップに固定するための様々な設計が知られている。例えば、Vaupelの米国特許第5,560,727号（その開示内容全体が参照により組み込まれる）は、口紅カップが口紅チューブから滑り落ちないようにするために、外側口紅チューブの端部の凹部に係合する、外側に面するカムが設けられたばね要素を有する口紅キャリアを開示する。口紅が後退されるときは、口紅が口紅キャリアの外に滑り落ちるのを防止するために、口紅チューブの内面にカムが係合すると、ばね要素上の後方係合突起が口紅に埋め込まれる。しかし、口紅が完全に伸長しているときには固定作用がなくなり、これによって口紅が使用中に口紅キャリアから誤って外れる可能性がある。
【０００５】
Hopgoodの米国特許第2,797,803号およびWildの米国特許第1,835,580号（これらの開示内容は全体が参照により本明細書に組み込まれる）は、開放円筒カップ形状の剛性金属キャリアを開示する。金属キャリアの一部から形成された一対の内向きの突起が、挿入されるスティック化粧品、例えばスティックコロン、スティックデオドラントなどを保持するように作用する。
【０００６】
Reichenbachの米国特許第2,302,473号（その開示内容は全体が参照により本明細書に組み込まれる）は、口紅をキャリア内に保持するのを助けるために環状の内向きに突出したリブが形成された金属カップ状キャリアを有する口紅キャリアを開示する。
【０００７】
Mazzolaらの米国特許第5,609,430号、Ackermannらの米国特許第5,599,124号、Lombardiらの米国特許第5,197,814号、Clarkの米国特許第3,083,822号、Grauの米国特許第3,838,169号、Hultgrenの米国特許第3,298,509号、Spatzの米国特許第4,820,070号、およびドイツ特許第3442094号（その開示内容は全体が参照により本明細書に組み込まれる）は、口紅に係合し、キャリア内に固定するための、複数の内向きの長手方向に延伸するリブを設けられた口紅キャリアを開示する。
【０００８】
Croceの米国特許第2,798,599号（その開示内容は全体が参照により本明細書に組み込まれる）は、口紅に係合するために内向きに突出する一対の離間した螺旋リブを有する口紅キャリアを開示する。口紅がキャリアに挿入されると、口紅は、挿入操作中に回転し、それにより、口紅がキャリアに固定されるように、内部リブによってカム作用を受ける。
【０００９】
Gelardinの米国特許第2,318,152号（その開示内容は全体が参照により本明細書に組み込まれる）は、鋭い外縁を有する二面角として形成された一対の内向きの舌部を備えた口紅キャリアを開示する。舌部の外縁は、口紅をそこからずれないようにキャリア内に固定するために切り欠かれている。
【００１０】
Broderの米国特許第2,469,631号（その開示内容は全体が参照により本明細書に組み込まれる）は、ベースプレートを有する口紅キャリアを開示し、口紅キャリアから、口紅が押し込まれる複数の三角形の突起が延伸する。
【００１１】
Safianoffの米国特許第2,815,123号（その開示内容は全体が参照により本明細書に組み込まれる）は、口紅の底部が埋め込まれる複数の半径方向に延伸するリブによって支持された内部リングを含む口紅キャリアを開示する。
【００１２】
Patelらの米国特許第6,116,801号（その開示内容は全体が参照により本明細書に組み込まれる）は、弾性的に柔軟であると同時に、ばね様特性を有する弾性ポリマー材料から形成される、ホルダ又はカップから延伸する複数のかかりを含む口紅ホルダを開示する。これらのかかりは、それらのばね様特性のために、ホルダ又はカップの内面から外方に方向付けられて、挿入後に口紅塊に埋め込まれる。製品にホルダまたはカップ内で軸方向に移動させる傾向があり得る振動は、かかりに、製品内にさらに貫入させて、製品が動かないようにさらに固定する。Patelらの口紅ホルダのような熱可塑性部品の射出成形技術の当業者は、カップの内部に十分に延伸する弾力のあるかかりを成形する複雑さおよび困難さを認識するであろう。
【００１３】
上記にかかわらず、スティック状形態で施与されるべき口紅または他の製品がそのホルダ又はキャリアから外れるという問題が絶えず認識されている。これは、ディスペンサが、出荷、口紅ケースの落下、およびユーザによる財布または手荷物内での激しい動きの間などに、振動、衝撃、または繰返し動作に曝された場合に起こり得る。これらの条件下で、口紅塊の基礎部がカップから外れ、口紅の成形された先端部がカップの内面に圧迫して変形する可能性がある。この結果、消費者にとって容認できない製品となり、それにより、しばしば販売業者または消費者のいずれかによってディスペンサの返品が促される。
【００１４】
一般的な口紅ホルダまたはカップは、カップの側壁の内面に配置される、離間する複数のリブを含み、これは、挿入プロセスの間、口紅塊の外面材料を切断することによって抵抗圧力を加える。一般に、成形された口紅塊の構造的完全性における形状の歪みまたは損傷を生じさせないために、リブの半径方向内向きのプロファイルは最小化されるべきである。口紅パッケージの設計者は、口紅塊自体の機械的強度を弱め、塊の構造的一体感を破壊することができる内部亀裂を生じることができる過剰量の塊材料を変位させることなく、塊プロファイルへ延伸する、広く長いリブを使用することによって最大保持の目標を達成することに向き合う。
【００１５】
これら前述の課題は、口紅がより柔らかい口紅配合物である場合にさらに増幅される。
【考案の概要】
【考案が解決しようとする課題】
【００１６】
したがって、多くの用途のために半固体または高粘性材料の性質のスティック状形態で提供される様々な製品のためのディスペンサの改良の余地が依然として存在する。
【課題を解決するための手段】
【００１７】
本考案は、半固体または粘性材料のための製品ディスペンサ、例えば、一般にスティック状形態で提供される、口紅および他の化粧品、パーソナルケアおよび衛生用品、家庭用品などを提供する。製品ディスペンサは、製造後、例えば消費者による出荷、保管ならびにその後の取り扱いおよび使用中に、ディスペンサのホルダまたはカップ内にスティック状組成物の基部を堅固に保持するためのホルダまたはカップを有する。製品ディスペンサは、施与すべき製品が常にホルダまたはカップ内に固定されたままであることを確実にするために、カップの側壁の内面から半径方向内向きにかつ内面に沿って円周方向に延伸する複数の浅いアンダーカット構造体を含む。浅いアンダーカット構造体は典型的には、カップの壁と一体的に形成される。アンダーカット構造体は、カップ壁から内向きに延伸し、上端でのカップ壁から下側延長棚部に向かって傾斜する内向きの面を有する。アンダーカット構造体はまた、下側延長棚部から半径方向外向きに側壁の内面へ延伸する下面を含む。下面は、カップの基部に向かって下向きに面し、水平であるか、または水平から一般的には３０度未満のわずかな角度に沿って下向きである。
【００１８】
本考案はさらに、口紅ケースに用いられる口紅の円筒体のための射出成形口紅カップを提供する。該カップは、基部および口紅の基礎部を受け入れるように適合される内部開口を画定する内面を有する側壁を含む円筒状本体と、側壁の周まわりに実質的に均等に分布し、基部に近接し、側壁の内面から半径方向内向きに延伸する、軸方向に配置される複数のリブと、側壁の周まわりに実質的に均等に分布し、隣接するリブ間に周方向に配置される複数の浅いアンダーカット構造体であって、半径方向内向きに面し、側壁の内面から外方に基部に向かって、下側延長棚部へ傾斜する内向面、および、基部に面する、下側延長棚部から側壁の内面へ半径方向外向きに延伸する下面を含む、複数の浅いアンダーカット構造体とを有する。
【００１９】
本考案のある面において、アンダーカット構造体の内向面は凹面である。
【００２０】
本考案の他の面において、アンダーカット構造体の内向面は、側壁の内側面の湾曲に従う横方向の湾曲を有し、一方の側から横方向に反対側まで実質的に同じ厚さを有することができる。
【００２１】
本考案の他の面において、アンダーカット構造体は、上端部から下側延長棚部に向かって、増加する厚さを有する。
【００２２】
本考案の他の面において、アンダーカット構造体の内向面は、側壁の内面から約２０度以下、および約１５度以下を含む約３０度以下である。
【００２３】
本考案の他の面において、ホルダまたはカップは、射出成形プロセスおよび射出成形機器によって作成される。
【００２４】
カップは、射出成形プロセスを使用して熱可塑性材料から形成することができる。
【００２５】
カップに設けられた浅いアンダーカット構造体は、振動によって引き起こされ得るように、カップが中で軸方向上向きに、基部から外方に動くことがないように、口紅円筒体の保持を改善することが分かっている。いかなる特定の理論にも縛られることなく、浅いアンダーカット構造体の下面は、浅いアンダーカット構造体の下に蓄積されて圧縮された口紅塊の材料をブロックする壁を確立すると考えられる。口紅材料の蓄積は、軸方向に整列される、離間した複数のリブを用いることに因るものとすることができる。該リブは、基部に近接した側壁の周まわりに実質的に均等に分布し、側壁の内面から半径方向内向きに延伸する。これによって、口紅円筒体の基礎部の表面材料の一部が、円周方向において浅いアンダーカット構造体の下面および基部に向かって、およびそれらの間に圧縮される。浅いアンダーカット構造体の下面の下に表面材料の一部が圧縮および移動することによって、口紅円筒体がカップから外れることが制限され、防止される。
【００２６】
本考案はまた、カップ内に口紅円筒体を固定する方法をも提供する。該方法は、ａ）上述の複数のアンダーカット構造体を有する、本考案によるカップを提供する工程、ｂ）半固体またはワックス状材料を有する口紅円筒体をカップへ軸方向に挿入する工程であって、それによって、口紅円筒体の底端部がアンダーカット構造体の上および下に、カップの基部へと延伸し、それによって、口紅円筒体がカップ内に堅固に保持され、アンダーカット構造体は、ベースから外方への口紅円筒体の軸方向移動に抵抗し、口紅円筒体がカップから外れないようにする、挿入する工程、を有する。
【００２７】
本考案の上記の説明、ならびにさらなる目的、特徴および利点は、添付の図面と併せて読むと、製品ディスペンサおよびホルダの以下の詳細な説明を参照することにより、より完全に理解されるであろう。
【図面の簡単な説明】
【００２８】
【図１】図１は、口紅カップの側壁の内面に配置された複数のアンダーカット構造体を有し、口紅円筒体を保持するための口紅カップを示す口紅製品ディスペンサの断面斜視図を示す。
【図２】図２は、図１の線２−２に沿って見た口紅カップの上面図を示す。
【図３】図３は、図２の線３−３に沿って見た口紅カップの断面図を示す。
【図４】図４は、図３のアンダーカット構造体の詳細図を示す。
【図５】図５は、図４の線５−５に沿って見たアンダーカット構造体の水平断面図である。
【図６】図６は、図４の線６−６に沿って見たアンダーカット構造体の垂直断面図である。
【図７】図７は、錐台プロファイルを有するアンダーカット構造体の他の態様を示す。
【図８】図８は、図７の線８−８に沿って見たアンダーカット構造体の水平断面図を示す。
【図９】図９は、図７の線９−９に沿って見たアンダーカット構造体の垂直断面図を示す。
【図１０】図１０は、湾曲プロファイルを有するアンダーカット構造体の他の態様を示す。
【図１１】図１１は、図１０の線１１−１１に沿って見たアンダーカット構造体の水平断面図を示す。
【図１２】図１２は、図１０の線１２−１２に沿って見たアンダーカット構造体の垂直断面図を示す。
【考案を実施するための形態】
【００２９】
図面を参照すると、同様の参照符号が同様の要素を表しているが、図１〜図３には、外側本体２と、口紅円筒体Ｌ（カップの詳細を曖昧にしないようにシルエットで示す）の基部端を固定するためのホルダまたはカップ１０とを有する口紅ディスペンサ１が示される。カップ１０は、上部開口１６を画定する環状側壁１２、及び側壁１２と協働して口紅円筒体Ｌの基部端を保持するための内部円筒空間１８を画定する基部１４を含む。カップ１０はまた、基部１４に近接して、環状側壁１２の内面の周まわりに実質的に均等に分布される、軸方向に整列し且つ離間される８つのリブ２０を有する。リブ２０は、環状側壁１２からカップ１０の中心線１００に向かって半径方向内向きに一定の距離だけ延伸し、各リブ２０の内縁は丸みを帯びている。リブ２０の上端２２は、上部開口１６に向かって上方に延伸し、側壁１２に向かって湾曲する。口紅円筒体が、基部１４に向かって、内部円筒空間１８内へと挿入されると、口紅円筒体Ｌが内部に保持され、カップ１０に対してその軸方向に回転するのを防止するのを補助するために、リブ２０が底部および口紅円筒体Ｌの外周面へと押し込まれる。
【００３０】
カップ１０はまた、側壁１２の内面から延伸し、隣接するリブ２０の間に等間隔に配置される８つの浅いアンダーカット構造体３０をも含む。アンダーカット構造体３０は、リブ２０の上端部２２の高さの中間の高さ位置において、基部１４から軸方向に一定の距離を置いて位置付けられる。図示の態様において、浅いアンダーカット構造体３０は、側壁の高さの約半分上のところに位置付けられるが、わずかにより低いまたはより高い高さで用いられてもよい。浅いアンダーカット構造体３０の内向面３２は、半径方向内向きに面し、上縁３１より、側壁１２から外方へ下側に向かって下側延長棚部３４へと傾斜する。
【００３１】
アンダーカット構造体のある態様が図４〜図６に示されており、一般にピラミッド形状である。アンダーカット構造体３０の内向面３２は、図５に示すように、実質的に凹状である。アンダーカット構造体３０の内向面３２は、側壁１２の内面の湾曲に従う横方向の湾曲を有し、アンダーカット構造体３０の側部から側部へ横方向の厚さは実質的に同じである。アンダーカット構造体３０の内向面３２は、内側に向かって傾斜し、アンダーカット構造体３０は、上端３１から下側延長棚部３４に向かって、増加する厚さを有する。一般的には、内向面３２の内向きの傾斜は、側壁１２の垂直面または内面から、約２０度以下および約１５度以下を含む約３０度以下である。
【００３２】
下側延長棚部３４は、その周方向長さに沿って側壁１２から実質的に等しい距離だけ半径方向内向きに延伸する。図５に示すように、湾曲した下側延長棚部３４は、側壁１２の内面の湾曲に従う横方向の湾曲を有し、距離Ｔとして示される、側壁１２の内面から半径方向に実質的に同じ距離を有する。
【００３３】
アンダーカット構造体３０の内向面３２は、上縁３１（点として示す）から下方に向かって傾斜し、中間部３５と交差する上部３３を含み、これはその後、下側延長棚部３４まで延伸する底部３７と交差する。内向面３２の傾斜は、口紅円筒体Ｌの材料が内向面３２を下方へ、アンダーカット構造体３０の上を通過してスライドするときに、口紅円筒体Ｌの基部構造が裂開するのを防止する。
【００３４】
下面３６が、下側延長棚部３４から背面へ、または、半径方向外向きに、ライン３８に沿ってアンダーカット構造体３０の下へ、側壁１２の内面へと延伸する。下面３６は、基部１４に向かって下向きに面し、一般的には、後述するカップ１０内の口紅円筒体の固定または保持の機能上の利点を提供するのに十分な水平からの角度を有する。
【００３５】
側壁１２の周に沿う下面３６の角度変位β（図２）は、一般的には約１５〜３０度、より一般的には約２０〜２５度である。
【００３６】
いずれの理論にも束縛されることなく、口紅円筒体Ｌを内部円筒空間１８に押し込むと、リブ２０が口紅Ｌの外周に押しやられ、半固形ワックス状口紅材料がリブ２０間の空間に押し出される。わずかに傾斜した浅い下側延長棚部３４は、内向面３２に沿って通る口紅円筒体Ｌの半固形ワックス状材料をわずかに、かつ穏やかに圧縮すると考えられる。口紅円筒体Ｌのワックス状材料は、湾曲した下側延長棚部３４の下を通過した後、口紅の構造を実質的に劣化させることなく、下面３６に沿って、かつ／または下面３６の下で、側壁１２の内面に向かって半径方向外側に膨張する。複数の下面３６はその後、下面３６の下で膨張した口紅材料に対抗して、基部１４から外方への口紅円筒体Ｌの軸方向運動に抵抗し、口紅円筒体がカップ１０から外れるのを防止する障壁を呈する。本考案の下面は、口紅円筒体の外面を、特に軟質口紅配合物で破壊、破砕または裂開させることなく、口紅円筒体がその延伸構造の上および下を通過することを可能にする。
【００３７】
アンダーカット構造体のさらなる態様が、内向面１３２を有する錐台状垂直プロファイルを有するアンダーカット構造体１３０として、図７から図９に示されている。内向面１３２は、上縁１３１からそれに沿って、側壁面１２を下方に外方へと傾斜し、任意選択の中間部１３５と交差する上部１３３を含むことができ、中間部は、下側延長棚部１３４を有する底部１３７と交差する。下面１３６が、湾曲した下側延長棚部１３４から半径方向外側に延伸して、上述の下面３６と同様にライン１３８に沿って壁面に接合する。
【００３８】
アンダーカット構造体のさらなる態様が、内向面２３２を有する上側湾曲形状または垂直プロファイルを有するアンダーカット構造体２３０として、図１０から図１２に示されている。内向面２３２は、湾曲上縁２３１から下方にしたがって傾斜し、任意選択の中間部２３５と交差する上部２３３を含むことができ、中間部は、下側延長棚部２３４を有する底部２３７と交差する。下面２３６が、湾曲した下側延長棚部２３４から半径方向外側に延伸して、上述の下面３６と同様にライン２３８に沿って壁面に接合する。
【００３９】
カップ１０は、射出成形プロセスを使用して熱可塑性材料から好都合に形成することができる。浅いアンダーカット構造体３０は、口紅円筒体の上向き軸方向の動きに抵抗するのに十分な半径方向厚さを有するが、射出成形後にアンダーカットが金型を清浄にするのに十分に薄い。これらの寸法および幾何学的形状は、通常のアンダーカットのないカップ射出成形型を使用したときに成形部品が強制的に排出されることを可能にする、ごくわずかなアンダーカット（「ミニアンダーカット」と呼ばれる）を呈し、型のコア側とキャビティ側の両方から生じるコア突起を有する特殊な、より困難な型構造を必要とする一般的なアンダーカットスタイル設計を成形する費用および複雑度が排除される。
【００４０】
図示した態様は、８つの等間隔に離間したアンダーカット構造体３０を有する８つの等間隔に離間したリブ２０を示しているが、リブおよびアンダーカット構造体の数は、それぞれ６〜１０を含んでもよく、特定の口紅組成物に適しているように、９〜１２個のようなより多数のリブおよびアンダーカット構造体が提供されてもよく、または、４〜７個のようなより少ない数で提供されてもよい。
【００４１】
本考案はまた、口紅円筒体のための口紅ディスペンサをも含む。口紅ディスペンサは、本明細書において上述するように、ハウジング、及び口紅円筒体を受けるための口紅カップを有し、口紅円筒体はハウジング内で格納位置とユーザ位置との間で移動可能である。口紅ディスペンサはまた、上記製品が格納位置にあるときに上記ハウジングの一端を封止するキャップをも含むことができる。
【００４２】
本考案を、特定の態様を参照して説明したが、態様は、本考案の原理および適用の単なる例示であることを理解されたい。したがって、本態様には多くの変更がなされてもよく、請求の範囲によって規定される本考案の精神および範囲から逸脱することなく、他の構成が考案されてもよいことを理解すべきである。
【図１】
0003219640.tif 000003
【図２】
0003219640.tif 000004
【図３】
0003219640.tif 000005
【図４】
0003219640.tif 000006
【図５】
0003219640.tif 000007
【図６】
0003219640.tif 000008
【図７】
0003219640.tif 000009
【図８】
0003219640.tif 000010
【図９】
0003219640.tif 000011
【図１０】
0003219640.tif 000012
【図１１】
0003219640.tif 000013
【図１２】
0003219640.tif 000014
【手続補正書】
【提出日】平成30年4月19日(2018.4.19)
【手続補正１】
【補正対象書類名】実用新案登録請求の範囲
【補正対象項目名】全文
【補正方法】変更
【補正の内容】
【実用新案登録請求の範囲】
【請求項１】
口紅ケースに用いられる口紅の円筒体のための射出成形口紅カップであって、
ｉ）基部および前記口紅の基礎部を受け入れるように適合される内部開口を画定する内面を有する側壁を含む円筒状本体、
ｉｉ）前記側壁の周まわりに実質的に均等に分布し、前記基部に近接し、前記側壁の前記内面から半径方向内向きに延伸する、軸方向に配置される複数のリブ、及び
ｉｉｉ）前記側壁の周まわりに実質的に均等に分布し、隣接するリブ間に周方向に配置される複数の浅いアンダーカット構造体であって、半径方向内向きに面し、前記側壁の前記内面から外方に前記基部に向かって、下側延長棚部へ傾斜する面、および、前記基部に面する、下側延長棚部から前記側壁の前記内面へ半径方向外向きに延伸する下面を含む、複数の浅いアンダーカット構造体、
を有する、射出成形口紅カップ。
【請求項２】
前記下側延長棚部が湾曲した下側延長棚部であり、該湾曲した下側延長棚部が、前記側壁の内側内面の湾曲と実質的に同じ横方向の湾曲を有する請求項１に記載の射出成形口紅カップ。
【請求項３】
前記複数のリブは、前記口紅の前記基礎部の材料の一部を、円周方向において前記浅いアンダーカット構造体の前記下面および前記基部に向かって、およびそれらの間に変位させ、圧縮して、前記口紅が前記カップから外れるのを防止する請求項１または２に記載の口紅カップ。
【請求項４】
前記アンダーカット構造体の内向面は凹面である請求項１〜３のいずれか一項に記載の口紅カップ。
【請求項５】
前記アンダーカット構造体の前記内向面は、前記側壁の内側面の湾曲に従う横方向の湾曲を有し、一方の側から横方向に反対側まで実質的に同じ厚さを有する請求項４に記載の口紅カップ。
【請求項６】
前記アンダーカット構造体は、上端部から下側延長棚部に向かって、増加する厚さを有する請求項１〜５のいずれか一項に記載の口紅カップ。
【請求項７】
前記アンダーカット構造体の前記内向面は、前記側壁の前記内面から、３０度以下である請求項４〜６のいずれか一項に記載の口紅カップ。
【請求項８】
前記カップは、射出成形プロセスおよび射出成形機器によって製造される請求項１〜７のいずれかに記載の口紅カップ。
【請求項９】
前記カップは、射出成形プロセスを使用して熱可塑性材料から形成することができる請求項１〜８のいずれか一項に記載の口紅カップ。
【請求項１０】
前記浅いアンダーカット構造体がほぼピラミッド形状を有する請求項１〜９のいずれか一項に記載の口紅カップ。
【請求項１１】
前記浅いアンダーカット構造体が錐台状である請求項１〜９のいずれか一項に記載の口紅カップ。
【請求項１２】
前記浅いアンダーカット構造体が上側湾曲形状を有する請求項１〜９のいずれか一項に記載の口紅カップ。
【請求項１３】
口紅円筒体のための口紅ディスペンサであって、
該口紅ディスペンサは、ハウジング、および前記口紅円筒体を受けるための請求項１〜１２のいずれか一項に記載の口紅カップを有し、
前記ハウジング内の前記口紅円筒体は、格納位置とユーザ位置との間で移動可能である、上記口紅ディスペンサ。
【手続補正書】
【提出日】平成30年10月23日(2018.10.23)
【手続補正１】
【補正対象書類名】実用新案登録請求の範囲
【補正対象項目名】全文
【補正方法】変更
【補正の内容】
【実用新案登録請求の範囲】
【請求項１】
口紅ケースに用いられる口紅の円筒体のための射出成形口紅カップであって、
ｉ）基部および前記口紅の基礎部を受け入れるように適合される内部開口を画定する内面を有する側壁を含む円筒状本体、
ｉｉ）前記側壁の周まわりに実質的に均等に分布し、前記基部に近接し、前記側壁の前記内面から半径方向内向きに延伸する、軸方向に配置される複数のリブ、及び
ｉｉｉ）前記側壁の周まわりに実質的に均等に分布し、隣接するリブ間に周方向に配置される複数の浅いアンダーカット構造体であって、半径方向内向きに面し、前記側壁の前記内面から外方に前記基部に向かって、下側延長棚部へ傾斜する面、および、前記基部に面する、下側延長棚部から前記側壁の前記内面へ半径方向外向きに延伸する下面を含む、複数の浅いアンダーカット構造体、
を有する、射出成形口紅カップ。
【請求項２】
前記下側延長棚部が湾曲した下側延長棚部であり、該湾曲した下側延長棚部が、前記側壁の内側内面の湾曲と実質的に同じ横方向の湾曲を有する請求項１に記載の射出成形口紅カップ。
【請求項３】
前記複数のリブは、前記口紅の前記基礎部の材料の一部を、円周方向において前記浅いアンダーカット構造体の前記下面および前記基部に向かって、およびそれらの間に変位させ、圧縮して、前記口紅が前記カップから外れるのを防止する請求項１または２に記載の口紅カップ。
【請求項４】
前記アンダーカット構造体の内向面は凹面である請求項１〜３のいずれか一項に記載の口紅カップ。
【請求項５】
前記アンダーカット構造体の前記内向面は、前記側壁の内側面の湾曲に従う横方向の湾曲を有し、一方の側から横方向に反対側まで実質的に同じ厚さを有する請求項４に記載の口紅カップ。
【請求項６】
前記アンダーカット構造体の前記内向面は、前記側壁の前記内面から、３０度以下である請求項４又は５に記載の口紅カップ。
【請求項７】
前記アンダーカット構造体は、上端部から下側延長棚部に向かって、増加する厚さを有する請求項１〜６のいずれか一項に記載の口紅カップ。
【請求項８】
前記カップは、射出成形プロセスおよび射出成形機器によって製造される請求項１〜７のいずれかに記載の口紅カップ。
【請求項９】
前記カップは、射出成形プロセスを使用して熱可塑性材料から形成することができる請求項１〜８のいずれか一項に記載の口紅カップ。
【請求項１０】
前記浅いアンダーカット構造体がほぼピラミッド形状を有する請求項１〜９のいずれか一項に記載の口紅カップ。
【請求項１１】
前記浅いアンダーカット構造体が錐台状である請求項１〜９のいずれか一項に記載の口紅カップ。
【請求項１２】
前記浅いアンダーカット構造体が上側湾曲形状を有する請求項１〜９のいずれか一項に記載の口紅カップ。
【請求項１３】
口紅円筒体のための口紅ディスペンサであって、
該口紅ディスペンサは、ハウジング、および前記口紅円筒体を受けるための請求項１〜１２のいずれか一項に記載の口紅カップを有し、
前記ハウジング内の前記口紅円筒体は、格納位置とユーザ位置との間で移動可能である、上記口紅ディスペンサ。